【手続補正書】
【提出日】平成26年9月1日(2014.9.1)
【手続補正１】
【補正対象書類名】特許請求の範囲
【補正対象項目名】全文
【補正方法】変更
【補正の内容】
【特許請求の範囲】
【請求項１】
（ａ）着色剤、
（ｂ）水性溶媒、および
（ｃ）アルコキシ芳香族ジオールと、イオン基で置換されたジオールと、イソシアネートとを含む第１のポリウレタン添加剤
を含み、
前記アルコキシ芳香族ジオールが、Ｚ1
【化１】
2013541606.tif 000001
（式中、Ａｒは芳香族基であり、
ｎ、ｍ、ｐおよびｑは整数であり、
ｎ、ｍは同一であるか、または異なって、２〜１２であり、
ｐは１〜１５であり、
ｑは０〜１５であり、
Ｒ1、Ｒ2は同一であるか、または異なって、それぞれ独立して、水素、メチル、エチルおよび式ＣtＨ2t+1のより高級アルキルからなる群から選択され、ｔは整数であって、３〜３６である）であり、
Ｚ2は、イオン基で置換されたジオールであり、そして
少なくとも１種のＺ1および少なくとも１種のＺ2が、前記第１のポリウレタン添加剤に存在しなければならない、水性インクジェットインク組成物。
【請求項２】
前記ポリウレタン添加剤が、全インク組成物の重量に基づき０．０５〜１０％重量である、請求項１に記載の水性インクジェットインク組成物。
【請求項３】
前記アルコキシ芳香族ジオールＺ1に関して、ｐが、１、２、３および４からなる群から選択され、そしてｑが、１、２、３および４からなる群から選択される、請求項１または２に記載の水性インクジェットインク組成物。
【請求項４】
前記芳香族基がヒドロキノンである、請求項１に記載の水性インクジェットインク組成物。
【請求項５】
前記芳香族基がビスフェノールである、請求項１に記載の水性インクジェットインク組成物。
【請求項６】
前記着色剤が自己分散顔料である、請求項１〜５のいずれか一項に記載の水性インクジェットインク組成物。
【請求項７】
インクジェットインクセットであって、
前記インクジェットインクセット中のインクの少なくとも１種が、
（ａ）着色剤、
（ｂ）水性溶媒、および
（ｃ）アルコキシ芳香族ジオールと、イオン基で置換されたジオールと、イソシアネートとを含むポリウレタン第１添加剤
を含み、
前記アルコキシ芳香族ジオールが、Ｚ1
【化２】
2013541606.tif 000002
（式中、Ａｒは芳香族基であり、
ｎ、ｍ、ｐおよびｑは整数であり、
ｎ、ｍは同一であるか、または異なって、２〜１２であり、
ｐは１〜１５であり、
ｑは０〜１５であり、
Ｒ1、Ｒ2は同一であるか、または異なって、それぞれ独立して、水素、メチル、エチルおよび式ＣtＨ2t+1のより高級アルキルからなる群から選択され、ｔは整数であって、３〜３６である）であり、
Ｚ2は、イオン基で置換されたジオールであり、そして
少なくとも１種のＺ1および少なくとも１種のＺ2が、前記第１のポリウレタン添加剤に存在しなければならない、水性インクジェットインク組成物である、インクジェットインクセット。
【請求項８】
（ａ）着色剤、
（ｂ）水性溶媒、および
（ｃ）アルコキシ芳香族ジオールと、イオン基で置換されたジオールと、イソシアネートとを含む第２のポリウレタン添加剤
を含み、
前記アルコキシ芳香族ジオールが、Ｚ1
【化３】
2013541606.tif 000003
（式中、Ａｒは芳香族基であり、
ｎ、ｍ、ｐおよびｑは整数であり、
ｎ、ｍは同一であるか、または異なって、２〜１２であり、
ｐは１〜１５であり、
ｑは０〜１５であり、
Ｒ1、Ｒ2は同一であるか、または異なって、それぞれ独立して、水素、メチル、エチルおよび式ＣtＨ２t+1のより高級アルキルからなる群から選択され、ｔは整数であって、３〜３６である）であり、
そして前記第２のポリウレタン添加剤は、構造ＩＩ
【化４】
2013541606.tif 000004
（Ｒ3は、ジイソシアネートからのアルキル、置換アルキル、置換アルキル／アリールであり、
Ｒ4は、Ｚ1またはＺ2であり、
Ｒ5は、アミン末端基からの水素、アルキル、分枝状アルキルまたは置換アルキルであり、
Ｒ6は、アミン末端基からのアルキル、分枝状アルキルまたは置換アルキルであり、
ｓは、２〜３０の整数である）を有し、
Ｚ1またはＺ2は、アルコキシ芳香族ジオールとして、そしてＺ2は、イオン基で置換されたジオールとして前記で定義される、水性インクジェットインク組成物。
【請求項９】
前記インクの全重量に基づき０．０５〜１０％重量の第２のポリウレタン添加剤を有し、前記インクの全重量に基づき０．１〜１０重量％の着色剤、２５℃で２０ダイン／ｃｍ〜７０ダイン／ｃｍの範囲の表面張力、および２５℃で３０ｃＰ未満の粘度を有する、請求項８に記載の水性インクジェットインク組成物。
【請求項１０】
前記アルコキシ芳香族ジオールＺ1に関して、ｐが、１、２、３および４からなる群から選択され、そしてｑが、１、２、３および４からなる群から選択される、請求項８または９に記載の水性インクジェットインク組成物。
【手続補正２】
【補正対象書類名】明細書
【補正対象項目名】０２０６
【補正方法】変更
【補正の内容】
【０２０６】
乾燥汚れとは、印刷を示された時間乾燥させ、汚れ抵抗に関して試験するものである。
数値が高いほど、より良好である。本発明のインク実施例は、比較のインクに匹敵するも
のから、それより良好なものである。インク実施例１１は、未知の理由のため、予想され
るよりも低い結果をもたらした。
本発明は以下の実施の態様を含むものである。
１．（ａ）着色剤、
（ｂ）水性溶媒、および
（ｃ）アルコキシ芳香族ジオールと、イオン基で置換されたジオールと、イソシアネートとを含む第１のポリウレタン添加剤を含み、
前記アルコキシ芳香族ジオールが、Ｚ1
［化１］
2013541606.tif 000005
（式中、Ａｒは芳香族基であり、
ｎ、ｍ、ｐおよびｑは整数であり、
ｎ、ｍは同一であるか、または異なって、２〜１２であり、
ｐは１〜１５であり、
ｑは０〜１５であり、
Ｒ1、Ｒ2は同一であるか、または異なって、それぞれ独立して、水素、メチル、エチルおよび式ＣtＨ2t+1のより高級アルキルからなる群から選択され、ｔは整数であって、３〜３６である）であり、
Ｚ2は、イオン基で置換されたジオールであり、そして
少なくとも１種のＺ1および少なくとも１種のＺ2が、前記第１のポリウレタン添加剤に存在しなければならない、水性インクジェットインク組成物。
２．前記ポリウレタン添加剤が、全インク組成物の重量に基づき０．０５〜１０％重量である、前記１に記載の水性インクジェットインク組成物。
３．前記ポリウレタン添加剤が、全インク組成物の重量に基づき０．２〜７重量％である、前記１に記載の水性インクジェットインク組成物。
４．前記インクの全重量に基づき０．１〜１０重量％の着色剤、２５℃で２０ダイン／ｃｍ〜７０ダイン／ｃｍの範囲の表面張力、および２５℃で３０ｃＰ未満の粘度を有する、前記１に記載の水性インクジェットインク組成物。
５．前記ポリウレタン添加剤が、少なくとも１０および多くとも１００の酸価（固体ポリマー１グラムあたりのＫＯＨのｍｇ）を有する、前記１に記載の水性インクジェットインク組成物。
６．前記アルコキシ芳香族ジオールＺ1に関して、ｐが、１、２、３および４からなる群から選択され、そしてｑが、１、２、３および４からなる群から選択される、前期１に記載の水性インクジェットインク組成物。
７．前記芳香族基がヒドロキノンである、前記１に記載の水性インクジェットインク組成物。
８．前記芳香族基がビスフェノールである、前記１に記載の水性インクジェットインク組成物。
９．前記着色剤が顔料および分散染料から選択される、前記１に記載の水性インクジェットインク組成物。
１０．前記着色剤が自己分散顔料である、前記１に記載の水性インクジェットインク組成物。
１１．前記自己分散カーボンブラック顔料上のアニオン性親水性化学基が、カルボキシル基を含む、前記１０に記載のインク。
１２．前記自己分散顔料が、カルボニル、カルボキシル、ヒドロキシルおよびスルホンからなる群から選択される少なくとも１種の官能基を前記顔料の表面上に結合させるため、次亜塩素酸、スルホン酸またはオゾンによって、その表面上で酸化処理された顔料を含む、前記１０に記載の水性インクジェットインク組成物。
１３．前記自己分散顔料が、オゾンによってその表面上で酸化処理された顔料を含む、前記１０に記載の水性インクジェットインク組成物。
１４．前記水性溶媒が、水と少なくとも１種の水混和性溶媒との混合物である、前記１に記載の水性インクジェットインク組成物。
１５．任意の実行可能な順番で、
デジタルデータ信号に感応するインクジェット印刷機を提供する工程と、
（ａ）印刷される基板を前記印刷機に装填する工程と、
（ｂ）前記１に記載の水性インクジェットインクを前記印刷機に装填する工程と、
（ｃ）前記基板上に印刷画像を形成するために前記デジタルデータ信号に応じて、前記
水性インクジェットインクを使用して前記基板上へ印刷する工程と
を含んでなる基板上にインクジェット印刷する方法。
１６．インクジェットインクセットであって、
前記インクジェットインクセット中のインクの少なくとも１種が、
（ａ）着色剤、
（ｂ）水性溶媒、および
（ｃ）アルコキシ芳香族ジオールと、イオン基で置換されたジオールと、イソシアネートとを含むポリウレタン第１添加剤
を含み、
前記アルコキシ芳香族ジオールが、Ｚ1
［化２］
2013541606.tif 000006
（式中、Ａｒは芳香族基であり、
ｎ、ｍ、ｐおよびｑは整数であり、
ｎ、ｍは同一であるか、または異なって、２〜１２であり、
ｐは１〜１５であり、
ｑは０〜１５であり、
Ｒ1、Ｒ2は同一であるか、または異なって、それぞれ独立して、水素、メチル、エチルおよび式ＣtＨ2t+1のより高級アルキルからなる群から選択され、ｔは整数であって、３〜３６である）であり、
Ｚ2は、イオン基で置換されたジオールであり、そして
少なくとも１種のＺ1および少なくとも１種のＺ2が、前記第１のポリウレタン添加剤に存在しなければならない、水性インクジェットインク組成物である、インクジェットインクセット。
１７．任意の実行可能な順番で、
ａ．デジタルデータ信号に感応するインクジェット印刷機を提供する工程と、
ｂ．印刷される基板を前記印刷機に装填する工程と、
ｃ．前記１６に記載の水性インクジェットインクを前記印刷機に装填する工程と、
ｄ．前記基板上に印刷画像を形成するために前記デジタルデータ信号に応じて、前記水性インクジェットインクを使用して前記基板上へ印刷する工程と
を含んでなる基板上にインクジェット印刷する方法。
１８．（ａ）着色剤、
（ｂ）水性溶媒、および
（ｃ）アルコキシ芳香族ジオールと、イオン基で置換されたジオールと、イソシアネートとを含む第２のポリウレタン添加剤
を含み、
前記アルコキシ芳香族ジオールが、Ｚ1
［化３］
2013541606.tif 000007
（式中、Ａｒは芳香族基であり、
ｎ、ｍ、ｐおよびｑは整数であり、
ｎ、ｍは同一であるか、または異なって、２〜１２であり、
ｐは１〜１５であり、
ｑは０〜１５であり、
Ｒ1、Ｒ2は同一であるか、または異なって、それぞれ独立して、水素、メチル、エ
チルおよび式ＣtＨ２t+1のより高級アルキルからなる群から選択され、ｔは整数であ
って、３〜３６である）であり、
そして前記第２のポリウレタン添加剤は、構造ＩＩ
［化４］
2013541606.tif 000008
（Ｒ3は、ジイソシアネートからのアルキル、置換アルキル、置換アルキル／アリール
であり、
Ｒ4は、Ｚ1またはＺ2であり、
Ｒ5は、アミン末端基からの水素、アルキル、分枝状アルキルまたは置換アルキルであ
り、
Ｒ6は、アミン末端基からのアルキル、分枝状アルキルまたは置換アルキルであり、
ｓは、２〜３０の整数である）を有し、
Ｚ1またはＺ2は、アルコキシ芳香族ジオールとして、そしてＺ2は、イオン基で置換
されたジオールとして前記で定義される、水性インクジェットインク組成物。
１９．前記インクの全重量に基づき０．０５〜１０％重量の第２のポリウレタン添加剤を有し、前記インクの全重量に基づき０．１〜１０重量％の着色剤、２５℃で２０ダイン／ｃｍ〜７０ダイン／ｃｍの範囲の表面張力、および２５℃で３０ｃＰ未満の粘度を有する、前記１８に記載の水性インクジェットインク組成物。
２０．前記アルコキシ芳香族ジオールＺ1に関して、ｐが、１、２、３および４からなる群から選択され、そしてｑが、１、２、３および４からなる群から選択される、前期１８に記載の水性インクジェットインク組成物。
２１．前記着色剤が顔料および分散染料から選択される、前記１８に記載の水性インクジェットインク組成物。
２２．前記着色剤が自己分散顔料である、前記１８に記載の水性インクジェットインク組成物。
２３．前記自己分散カーボンブラック顔料上のアニオン性親水性化学基が、カルボキシル基を含む、前記２２に記載のインク。
２４．前記自己分散顔料が、カルボニル、カルボキシル、ヒドロキシルおよびスルホンからなる群から選択される少なくとも１種の官能基を前記顔料の表面上に結合させるため、次亜塩素酸、スルホン酸またはオゾンによって、その表面上で酸化処理された顔料を含む、前記２２に記載の水性インクジェットインク組成物。